(57)【特許請求の範囲】
【請求項１】
触媒中を流れて浄化された高温排ガスが水と熱交換をして、その排熱が回収されるようにされた触媒一体型排気熱交換器が、
内筒と内胴と外胴とからなるシェルタイプ熱交換器部と、
前記シェルタイプ熱交換器部の一端に一体に組み付けられたドーナツ状の多板タイプ熱交換器部と
を備え、
前記内筒は、前記シェルタイプ熱交換器部から突出して前記多板タイプ熱交換器部の内部空間にまで伸びて、その内部に前記触媒が収容され、
前記シェルタイプ熱交換器部は、前記内筒の内部に収容された前記触媒中を流れて前記内筒と前記内胴との間に流入した前記排ガスと、前記外胴と前記内胴との間に流入した前記水とが、前記内胴を介して間接熱交換をするようにされ、
前記多板タイプ熱交換器部は、前記シェルタイプ熱交換器部で熱交換をした前記排ガスと前記水を流入させて、該多板タイプ熱交換器部内で熱交換をさせるために、前記水が流れる空間と前記排ガスが流れる空間とを有する
ことを特徴とする触媒一体型排気熱交換器。
【請求項２】
前記多板タイプ熱交換器部は、２枚の環状板からなる熱交換器素子が複数個積層されて構成され、
前記熱交換器素子は、前記２枚の環状板の各内周縁同志および各外周縁同志がそれぞれ接合されて、その内部に一方の熱交換媒体が流れる空間が形成され、
隣接する２つの前記熱交換器素子間に他方の熱交換媒体が流れる空間が形成されたことを特徴とする請求項１記載の触媒一体型排気熱交換器。
【請求項３】
前記熱交換器素子を構成する前記２枚の環状板の各々には、複数のディンプルが規則的に形成されて、前記熱交換器素子の内部空間および隣接する２つの前記熱交換器素子間の空間に前記各熱交換媒体の乱流流路が形成されたことを特徴とする請求項２記載の触媒一体型排気熱交換器。
【請求項４】
前記シェルタイプ熱交換器部と前記多板タイプ熱交換器部とは、それらの組付け部において前記各熱交換媒体が流体連通するようにされたことを特徴とする請求項１ないし請求項３のいずれかに記載の触媒一体型排気熱交換器。」
【発明の詳細な説明】
【０００１】
【発明の属する技術分野】
本願の発明は、触媒一体型排気熱交換器に関し、特に内燃機関の排気系に使用される触媒を利用した排ガス浄化装置（触媒コンバーター）と排ガス熱回収用熱交換器とを一体化して、排気系のコンパクト化と、消音効果の向上、熱交換性能の向上等を図った触媒一体型排気熱交換器に関する。
【０００２】
【従来技術】
従来、この種内燃機関における排気系は、図２４に図示されるように構成されていた。
すなわち、図２４において、内燃機関01から排出された排ガスは、先ず、排ガス浄化装置（触媒コンバーター）02に入り、ここで、排ガス中の有害成分が浄化されて、外部に排出される。
【０００３】
次いで、浄化されて幾分温度の上昇した排ガスは、熱交換器03に入り、ここで、内燃機関01の冷却水と熱交換をして、その保有熱を冷却水に与え、自身は低温の排ガスとなって、外部に放出される。
【０００４】
熱交換器03に入る内燃機関01の冷却水は、内燃機関01を出た後排熱回収用の熱交換器04において水道水等の冷水と熱交換をして熱を放出して十分に温度を下げられた冷却水であるので、浄化された幾分温度の上昇した排ガスを効果的に冷却することができる。冷却水は、ここでの熱交換により、やや温度が上昇するが、内燃機関01に還流されて、内燃機関01の各部を支障なく冷却する。
【０００５】
熱交換器04において、内燃機関01を出た後の冷却水と熱交換をして温度の上昇した水道水は、温水となって、事業所用もしくは家庭用の給湯冷暖房等の各種の用途に向けられ、直接温水として、もしくは温水熱源として、使用される。
【０００６】
従来の内燃機関01における排気系は、前記のように構成されているので、排ガス浄化装置02は、排ガス通路の上流側に配設され、該排ガス浄化装置02と熱交換器03とは、別体に形成されていた。このため、排気系の構成にスペースを要し、構造も複雑になっていた。
【０００７】
そこで、本出願人は、従来のこの種内燃機関01における排気系が有する前記のような問題点を解決して、排気系をコンパクト化し、構造を簡単化して、製作コストを低減するとともに、消音効果の向上と熱交換性能の向上とを可能にする触媒一体型排気熱交換器を提案した（特開２０００−２５７４１５号・特許第３８９１７２４号公報参照）。
【０００８】
【発明が解決しようとする課題】
本発明は、本出願人による特許第３８９１７２４号に係る発明をさらに改良して、軽量化と製作コストのさらなる低減、熱交換性能のさらなる向上とを可能にする触媒一体型排気熱交換器を提供することを課題とする。
【０００９】
【課題を解決するための手段および効果】
本発明は、前記のような課題を解決した触媒一体型排気熱交換器に係り、その請求項１に記載された発明は、触媒中を流れて浄化された高温排ガスが水と熱交換をして、その排熱が回収されるようにされた触媒一体型排気熱交換器が、内筒と内胴と外胴とからなるシェルタイプ熱交換器部と、前記シェルタイプ熱交換器部の一端に一体に組み付けられたドーナツ状の多板タイプ熱交換器部とを備え、前記内筒は、前記シェルタイプ熱交換器部から突出して前記多板タイプ熱交換器部の内部空間にまで伸びて、その内部に前記触媒が収容され、前記シェルタイプ熱交換器部は、前記内筒の内部に収容された前記触媒中を流れて前記内筒と前記内胴との間に流入した前記排ガスと、前記外胴と前記内胴との間に流入した前記水とが、前記内胴を介して間接熱交換をするようにされ、前記多板タイプ熱交換器部は、前記シェルタイプ熱交換器部で熱交換をした前記排ガスと前記水を流入させて、該多板タイプ熱交換器部内で熱交換をさせるために、前記水が流れる空間と前記排ガスが流れる空間とを有することを特徴とする触媒一体型排気熱交換器である。
【００１０】
請求項１に記載された発明は、前記のように構成されているので、排ガス浄化装置として機能する内筒内部の触媒収容部と排熱回収用熱交換器として機能する２つの熱交換器部とが一体化されて、触媒一体型排気熱交換器をコンパクトに、かつ、構造簡単に構成することができる。また、板状素材を用いる２つの熱交換器部は、大量生産に適するので、触媒一体型排気熱交換器の製作コストを大きく低減することができる。
【００１１】
また、触媒収容部が熱交換器部に包囲されている上に、多板タイプ熱交換器部の採用により伝熱面積が増大するので、排ガスの保有熱および排ガスと触媒との反応熱が冷却水により十分に吸収されて、熱交換性能が大きく向上する。
【００１２】
また、排ガスが発する騒音は、排ガスが比較的大容量のウォータージャケット構造のシェルタイプ熱交換器部と多室構造の多板タイプ熱交換器部とを通る過程において効果的に減衰されるので、消音効果が向上する。
【００１３】
さらに、請求項１に係る発明では、シェルタイプ熱交換器部は、内筒の内部に収容された触媒中を流れて内筒と内胴との間に流入した排ガスと、外胴と内胴との間に流入した水とが、内胴を介して間接熱交換をするようにされるので、排ガスは、内筒と内胴との間の排ガス流路を取り巻く水室内の冷却水により効果的に冷却されて、熱交換性能がさらに向上する。
【００１４】
また、請求項２記載のように発明を構成することにより、多板タイプ熱交換器部は、２枚の環状板からなる熱交換器素子が複数個積層されて構成され、該熱交換器素子は、２枚の環状板の各内周縁同志および各外周縁同志がそれぞれ接合されて、その内部に一方の熱交換媒体が流れる空間が形成され、隣接する２つの熱交換器素子間に他方の熱交換媒体が流れる空間が形成されるので、多板タイプ熱交換器部の構造がさらに簡単化されて、製作コストをさらに低減することができる。
【００１５】
また、請求項３記載のように発明を構成することにより、熱交換器素子を構成する２枚の環状板の各々には、複数のディンプルが規則的に形成されて、熱交換器素子の内部空間および隣接する２つの熱交換器素子間の空間に、各熱交換媒体の乱流流路が形成される。
【００１６】
この結果、排ガスと冷却水との熱交換性能がさらに大きく向上するとともに、ディンプルは、２枚の環状板間の間隔保持部材として機能させることができ、また、隣接する２つの熱交換器素子間の間隔保持部材として機能させることができるので、触媒一体型排気熱交換器の強度が向上する。
【００１７】
さらに、請求項４記載のように発明を構成することにより、シェルタイプ熱交換器部と多板タイプ熱交換器部とは、それらの組付け部において各熱交換媒体が流体連通するようにされる。
【００１８】
この結果、シェルタイプ熱交換器部と多板タイプ熱交換器部とは、最短流路で結ばれて、排ガスの保有熱の散逸が防がれるとともに、触媒一体型排気熱交換器をさらにコンパクトに構成することができる。
【００１９】
【発明の実施の形態】
以下、図１ないし図２３に図示される本発明の一実施形態について説明する。
図１は、本実施形態における触媒一体型排気熱交換器の縦断面図であって、図２のＩ−Ｉ線矢視縦断面図であるが、多板タイプ熱交換器部のみ外観視して示す図、図２は、図１の平面図、図３は、図２のＩＩＩ−ＩＩＩ線で切断した多板タイプ熱交換器部の部分縦断面図、図４は、図３の多板タイプ熱交換器部の１つの熱交換器素子のみを取り出して示す図、図５は、図２のＶ−Ｖ線で切断した多板タイプ熱交換器部の部分縦断面図、図６は、図５の多板タイプ熱交換器部の１つの熱交換器素子のみを取り出して示す図、図７は、図２のＶＩＩ−ＶＩＩ線で切断した多板タイプ熱交換器部の縦断面図である。
【００２０】
本実施形態における触媒一体型排気熱交換器は、自家発電用内燃機関等の内燃機関の排気系に使用され、従来の触媒を利用した排ガス浄化装置（触媒コンバーター）と排ガス熱回収用熱交換器とを一体化したものとして構成される。
【００２１】
図１において、本実施形態における触媒一体型排気熱交換器１は、シェルタイプ熱交換器部２と、該シェルタイプ熱交換器部２の一端に一体に組み付けられたドーナツ状の多板タイプ熱交換器部７とを備えている。シェルタイプ熱交換器部２は、円筒状の内筒３の略下半部と、フランジ付き有底円筒状の内胴４と、同じくフランジ付き有底円筒状の外胴５とからなっている。外胴５の底部には、冷却水の供給管６が接続される接続口９が開口形成されている。
【００２２】
内筒３は、シェルタイプ熱交換器部２から突出して多板タイプ熱交換器部７の内部空間にまで伸び、その内部が触媒８の収容室Ｃとされている。排ガスは、矢印Ａ方向から流入して、触媒収容室Ｃ内を触媒８と接触しつつ貫流して、該触媒収容室Ｃを出た後に、内筒３と内胴４との間の室Ｄに流入し、供給管６を経て外胴５と内胴４との間の室Ｅに流入した冷却水と内胴４を介して間接熱交換を行なう。排ガスは、触媒８との化学反応により浄化される。
【００２３】
排ガスと冷却水とは、次いで、多板タイプ熱交換器部７内で熱交換を行ない、排ガスは、低温となって、多板タイプ熱交換器部７の下部に連結された排気管10内を矢印Ｂ方向に流れ、外部に排出される。また、冷却水は、排ガスが保有する排熱を回収して幾分高温となって、多板タイプ熱交換器部７の上端部に一体に固着された取付板11に形成された配管接続口12に接続される図示されない冷却水排出管を経て、図示されない内燃機関に還流される。
【００２４】
次に、多板タイプ熱交換器部７の詳細構造および排ガスと冷却水との熱交換の態様について、詳細に説明する。
多板タイプ熱交換器部７は、図１〜図６に図示されるように、２枚の環状板30、40からなる熱交換器素子20が複数個積層されて構成されている。
【００２５】
環状板30には、図１０〜図１３に図示されるように、その内周部に平坦な内周縁部32、その外周部に平坦な外周縁部33、その中心に関して点対称の位置にガス入口部34、ガス出口部35がそれぞれ形成され、また、ガス入口部34、ガス出口部35にそれぞれ隣接して、同じく環状板30の中心に関して点対称の位置に水入口開口37、水出口開口38がそれぞれ形成されている。さらに、ガス入口部34と水出口開口38との対、ガス出口部35と水入口開口37との対を円周方向から囲むようにして、複数のディンプル36が半径方向に隔てられて２列に形成されている。
【００２６】
これら内周縁部32、外周縁部33、ガス入口部34、ガス出口部35、複数のディンプル36は、環状板30の基体をなす環状基板31が、プレス加工により、図１１〜図１３において下方に深さａだけ凹入されることにより形成される。なお、ガス入口部34およびガス出口部35の底部には、円孔からなるガス入口開口34a 、ガス出口開口35a がそれぞれ打ち抜き形成されている。水入口開口37、水出口開口38は、プレス加工により、環状基板31が図１１、図１２において上方に打ち抜かれた後、その内周縁がわずかに上方に折曲されて形成され、その折曲部には、短い鍔部37a 、38a がそれぞれ形成されている。
【００２７】
環状板40には、図１４〜図１７に図示されるように、その内周側に環状の内周溝49、その外周側に環状の外周溝50、その中心に関して点対称の位置に水入口部47、水出口部48がそれぞれ形成され、また、水入口部47、水出口部48にそれぞれ隣接して、同じく環状板40の中心に関して点対称の位置にガス入口開口44、ガス出口開口45がそれぞれ形成されている。また、水入口部47とガス出口開口45との対、水出口部48とガス入口開口44との対を円周方向から囲むようにして、複数のディンプル46が周方向に連ねられて１列に形成されている。水入口部47、水出口部48、ガス入口開口44、ガス出口開口45、ディンプル46は、内周溝49と外周溝50とに囲まれる領域に形成されている。
【００２８】
内周溝49の内周側には、平坦な環状の内周縁部42が連なり、さらに、この内周縁部42には、短かい筒状のかしめ部51が折曲形成されて連なっている。また、外周溝50の外周側には、平坦な環状の外周縁部43が連なり、さらに、この外周縁部43には、短かい筒状のかしめ部52が折曲形成されて連なっている。
【００２９】
これら水入口部47、水出口部48、複数のディンプル46、内周溝49、外周溝50は、環状板40の基体をなす環状基板41が、プレス加工により、図１５〜図１７において下方に深さｂだけ凹入されることにより形成される。なお、水入口部47および水出口部48の底部には、円孔からなる水入口開口47a 、水出口開口48a がそれぞれ打ち抜き形成されている。
【００３０】
ガス入口開口44、ガス出口開口45は、プレス加工により、環状基板41が図１５、図１６において上方に打ち抜かれた後、その内周縁がわずかに上方に折曲されて形成され、その折曲部には、短い鍔部44a 、45a がそれぞれ形成されている。かしめ部51、かしめ部52も、プレス加工により、環状基板41が図１５、図１６において上方に折曲されることにより形成される。
【００３１】
以上のようにして形成される環状板30と環状板40とは、環状板30の内周縁部32、外周縁部33が環状板40の内周縁部42、外周縁部43とそれぞれ重なるようにして重ねられて、環状板40のかしめ部51、かしめ部52が環状板30の内周縁部32、外周縁部33を抱持するように折曲されて、全体が一体のものに組み付けられる。次いで、このようにして一体に組み付けられたものがロウ付けされて、熱交換器素子20が製作される（図４、図６参照）。
【００３２】
図１１に図示される環状板30と図１５に図示される環状板40とが重ねられて製作された熱交換器素子20が、断面を同じくして、図４に図示されている。また、図１２に図示される環状板30と図１６に図示される環状板40とが重ねられて製作された熱交換器素子20が、断面を同じくして、図６に図示されている。
【００３３】
最上段の熱交換器素子20の上部には、上部端板13が被冠されている。そして、この上部端板13と熱交換器素子20の環状板30との間に、排ガス小室15が形成されている（図３、図５参照）。環状板30の水出口開口38の鍔部38a は、上部端板13に形成された開口14を貫通して、取付板11の配管接続口12内に突出している。上部端板13の詳細が、図８および図９に図示されている。
【００３４】
最下段の熱交換器素子20の下部には、環状板30が接合され、さらに、この最下段の環状板30に、下部端板60が被冠されている。最下段の環状板30と下部端板60との間には、水小室16が形成されている（図３、図５参照）。下部端板60には、図１８および図１９に詳細に図示されるように、下部端板60の中心に関して点対称の位置にガス入口開口61、ガス出口開口62がそれぞれ形成され、このガス出口開口62に隣接して、水入口開口63が形成されている。なお、最下段の環状板30は、省略されてもよい。
【００３５】
環状板30のガス入口部34、ガス出口部35、環状板40のガス入口開口44、ガス出口開口45、下部端板60のガス入口開口61、ガス出口開口62は、それぞれ中心を一軸上に揃えて上下に連ねられている。また、環状板30の水入口開口37、水出口開口38、環状板40の水入口部47、水出口部48、下部端板60の水入口開口63は、それぞれ中心を一軸上に揃えて上下に連ねられている。
【００３６】
多板タイプ熱交換器部７は、このようにして製作された熱交換器素子20が複数個積層され、さらに、その上部に上部端板13が被冠され、その下部に環状板30が接合され、この環状板30に下部端板60が被冠されて、全体が仮組付けされ、ロウ付けされることにより、一体に組み立てられる。
【００３７】
熱交換器素子20を製作する過程における環状板30と環状板40とのロウ付け、多板タイプ熱交換器部７を完成する過程における隣接する熱交換器素子20、20、上部端板13、最下段の環状板30、下部端板60間のロウ付けは、環状板30と環状板40とを一体に組み付けて熱交換器素子20を仮組付けし、さらに、このようにして仮組付けされた複数の熱交換器素子20に上部端板13、最下段の環状板30、下部端板60を積層して全体を一体に仮組付けした後、全体をロウ浴に浸漬することにより、同時に行なわれる。
【００３８】
このようにして完成された多板タイプ熱交換器部７においては、環状板30に形成されたディンプル36は、環状板40の基板平坦部に当接して、そこにロウ付けされ、環状板40に形成されたディンプル46、内周溝49および外周溝50は、隣接する熱交換器素子20における環状板30の基板平坦部に当接して、そこにロウ付けされる（図７参照）。
【００３９】
このようにして完成された多板タイプ熱交換器部７において、下部端板60の水入口開口63から多板タイプ熱交換器部７内に流入した冷却水は、環状板30の水入口開口37を経て各熱交換器素子20の水室Ｆ内に流入し、円周方向左右に分かれて、各熱交換器素子20の軸心に関して対称の位置にある環状板30の水出口開口38の開口位置に集まり、この水出口開口38を経て器外に排出される（図３、図５参照）。
【００４０】
他方、下部端板60のガス入口開口61から多板タイプ熱交換器部７内に流入した排ガスは、最下段の環状板30のガス入口部34、環状板40のガス入口開口44を経て隣接する熱交換器素子20、20間に形成される排ガス室Ｇ内に流入し、円周方向左右に分かれて、各熱交換器素子20の軸心に関して対称の位置にある環状板40のガス出口開口45の開口位置に集まり、このガス出口開口45、最下段の環状板30のガス出口部35、下部端板60のガス出口開口62を経て器外に排出される（図３、図５参照）。
【００４１】
この間に、冷却水と排ガスとは、複数のディンプル36、46により攪拌されて乱流を伴いながら、熱交換器素子20内の流路および隣接する熱交換器素子20、20間の流路をそれぞれ流れて、環状板30および環状板40の各壁面を介して効果的な熱交換を行なう。
【００４２】
下部端板60は、多板タイプ熱交換器部７を内筒３に対して位置決めして、これに取り付けるための部材としても機能するとともに、後述するように、シェルタイプ熱交換器部２を多板タイプ熱交換器部７に組み付ける際の組付け板としても機能している。
【００４３】
次に、シェルタイプ熱交換器部２と多板タイプ熱交換器部７との組付け部の流体連通構造について、詳細に説明する。
シェルタイプ熱交換器部２は、前記のとおり、内筒３（その略下半部）と内胴４と外胴５とから構成されている。
【００４４】
内胴４は、図２０および図２１に詳細に図示されるように、フランジ付き有底円筒状の容器形状を呈し、その開口部周縁のフランジ部４a は、その深さに対して、かなり幅広に形成されている。そして、この幅広のフランジ部４a には、内胴４の中心に関して点対称の位置に、ガス流入凹部70とガス出口開口71とが形成され、このガス出口開口71に隣接して、水入口開口72が形成されている。
【００４５】
ここで、ガス流入凹部70、ガス出口開口71、水入口開口72の各形成位置は、下部端板60のガス入口開口61、ガス出口開口62、水入口開口63の各形成位置にそれぞれ符合している。したがって、室Ｄからガス流入凹部70に流入した排ガスは、ガス入口開口61を経て多板タイプ熱交換器部７の排ガス室Ｇ内に流入することができる。
【００４６】
外胴５は、図２２および図２３に詳細に図示されるように、フランジ付き有底円筒状の容器形状を呈し、その開口部周縁のフランジ部は２段に形成されていて、上段フランジ部５a は、比較的幅狭で、その外径は、内胴４のフランジ部４a に等しくされている。また、下段フランジ部５b は、比較的幅広で、その円周方向の１個所は、略方形状に潰されて、そこに外部に開放された凹部73が形成されている。この個所は、内胴４のガス出口開口71の形成位置に符合している。
【００４７】
凹部73の天井壁面73a は、フランジ部５a の壁面に連続していて、そこにガス出口開口74が形成されている。また、その内部壁面73b は、外胴５の筒体部の壁面に連続しており、その両側壁面73c 、73c は、上段フランジ部５a および下段フランジ部５b により形成される環状の段部空間Ｈを中断させている。凹部73は、排気管10の一端部をガス出口開口74、71、62に接続するための空間として利用される。
【００４８】
外胴５の底部には、前記のとおり、冷却水の供給管６の接続口９が開口形成されており、冷却水は、ここから室Ｅ内に流入する。そして、次いで、段部空間Ｈに流入して、内胴４の水入口開口72、下部端板60の水入口開口63を経て多板タイプ熱交換器部７の水室Ｆ内に流入することができる。
【００４９】
また、多板タイプ熱交換器部７の排ガス室Ｇ内に流入した排ガスは、下部端板60のガス出口開口62、内胴４のガス出口開口71、外胴５のガス出口開口74、排気管10を経て外部に放出することができる。下部端板60、内胴４のフランジ部４a 、外胴５の上段フランジ部５a が液密に一体に連結されることはいうまでもない。
【００５０】
本実施形態における触媒一体型排気熱交換器１は、触媒８を除き、シェルタイプ熱交換器部２の各構成要素、多板タイプ熱交換器部７の各構成要素、取付板11、その他の接続配管類を一体に組み付けた後、その全体をロウ浴に浸漬することにより、各ロウ付け個所を同時にロウ付けして、一挙に触媒一体型排気熱交換器１の本体部を製作するようにすることができる。
【００５１】
本実施形態は、前記のように構成されているので、次のような効果を奏することができる。
触媒８中を流れて浄化された高温排ガスが水と熱交換をして、その排熱が回収されるようにされた触媒一体型排気熱交換器１が、内筒３と内胴４と外胴５とからなるシェルタイプ熱交換器部２と、該シェルタイプ熱交換器部２の一端に一体に組み付けられたドーナツ状の多板タイプ熱交換器部７とを備え、内筒３は、シェルタイプ熱交換器部２から突出して多板タイプ熱交換器部７の内部空間にまで伸びて、その内部（触媒収容室Ｃ）に触媒８が収容されている。
【００５２】
この結果、排ガス浄化装置として機能する内筒３内部の触媒収容部と排熱回収用熱交換器として機能する２つの熱交換器部２、７とが一体化されて、触媒一体型排気熱交換器１をコンパクトに、かつ、構造簡単に構成することができる。また、板状素材を用いる２つの熱交換器部２、７は、大量生産に適するので、触媒一体型排気熱交換器１の製作コストを大きく低減することができる。
【００５３】
また、多板タイプ熱交換器部７は、２枚の環状板30、40からなる熱交換器素子20が複数個積層されて構成され、該熱交換器素子20は、２枚の環状板30、40の各内周縁同志および各外周縁同志がそれぞれ接合されて、その内部に一方の熱交換媒体である冷却水が流れる空間Ｆが形成され、隣接する２つの熱交換器素子20、20間に他方の熱交換媒体である排ガスが流れる空間Ｇが形成されるので、多板タイプ熱交換器部７の構造がさらに簡単化されて、触媒一体型排気熱交換器１の製作コストをさらに低減することができる。
【００５４】
また、触媒収容部（触媒収容室Ｃ）が熱交換器部２、７に包囲されている上に、多板タイプ熱交換器部７の採用により伝熱面積が増大しているので、排ガスの保有熱および排ガスと触媒８との反応熱が冷却水により十分に吸収されて、熱交換性能が大きく向上する。
【００５５】
さらに、シェルタイプ熱交換器部２は、内筒３の内部に収容された触媒８中を流れて内筒３と内胴４との間の室Ｄに流入した排ガスと、外胴５と内胴４との間の室Ｅに流入した水とが、内胴４を介して間接熱交換をするようにされているので、排ガスは、内筒３と内胴４との間の排ガス流路（室Ｄ）を取り巻く水室（室Ｅ）内の冷却水により効果的に冷却されて、熱交換性能がさらに向上する。
【００５６】
また、熱交換器素子20を構成する２枚の環状板30、40の各々には、複数のディンプル36、46が規則的に形成されて、熱交換器素子20の内部空間Ｆおよび隣接する２つの熱交換器素子間の空間Ｇに、各熱交換媒体の乱流流路が形成されるので、排ガスと冷却水との熱交換性能がさらに大きく向上するとともに、ディンプル36は、２枚の環状板30、40間の間隔保持部材として機能させることができ、また、ディンプル46は、隣接する２つの熱交換器素子20、20間の間隔保持部材として機能させることができるので、触媒一体型排気熱交換器１の強度が向上する。
【００５７】
また、排ガスが発する騒音は、排ガスが比較的大容量のウォータージャケット構造のシェルタイプ熱交換器部２と多室構造の多板タイプ熱交換器部７とを通る過程において効果的に減衰されるので、消音効果が向上する。
【００５８】
さらに、シェルタイプ熱交換器部２と多板タイプ熱交換器部７とは、それらの組付け部において各熱交換媒体が流体連通するようにされているので、シェルタイプ熱交換器部２と多板タイプ熱交換器部７とは、最短流路で結ばれて、排ガスの保有熱の散逸が防がれるとともに、触媒一体型排気熱交換器１をさらにコンパクトに構成することができる。しかも、この流体連通構造は、プレス加工により、内胴４のフランジ部４a にガス流入凹部70、外胴５に上段フランジ部５a と下段フランジ部５b 、この下段フランジ部５b に凹部73等を形成することにより、容易に構成することができる。
【図面の簡単な説明】
【図１】  本発明の一実施形態における触媒一体型排気熱交換器の縦断面図であって、多板タイプ熱交換器部のみ外観視して示す図である。
【図２】図１の平面図である。
【図３】図２のＩＩＩ−ＩＩＩ線で切断した多板タイプ熱交換器部の部分縦断面図である。
【図４】図３の多板タイプ熱交換器部の１つの熱交換器素子のみを取り出して示す図である。
【図５】図２のＶ−Ｖ線で切断した多板タイプ熱交換器部の部分縦断面図である。
【図６】図５の多板タイプ熱交換器部の１つの熱交換器素子のみを取り出して示す図である。
【図７】図２のＶＩＩ−ＶＩＩ線で切断した多板タイプ熱交換器部の縦断面図である。
【図８】上部端板の平面図である。
【図９】図８のＩＸ−ＩＸ線矢視断面図である。
【図１０】環状板の平面図である。
【図１１】図１０のＸＩ−ＸＩ線矢視断面図である。
【図１２】図１０のＸＩＩ−ＸＩＩ線矢視断面図である。
【図１３】図１０のＸＩＩＩ−ＸＩＩＩ線矢視断面図である。
【図１４】図１０の環状板と対をなす他の環状板の平面図である。
【図１５】図１４のＸＶ−ＸＶ線矢視断面図である。
【図１６】図１４のＸＶＩ−ＸＶＩ線矢視断面図である。
【図１７】図１４のＸＶＩＩ−ＸＶＩＩ線矢視断面図である。
【図１８】下部端板の平面図である。
【図１９】図１８のＸＩＸ−ＸＩＸ線矢視断面図である。
【図２０】内胴の縦断面図である。
【図２１】同平面図である。
【図２２】外胴の縦断面図である。
【図２３】同平面図である。
【図２４】従来例を示す図である。
【符号の説明】
１…触媒一体型排気熱交換器、２…シェルタイプ熱交換器部、３…内筒、４…内胴、４a …フランジ部、５…外胴、５a …上段フランジ部、５b …下段フランジ部、６…冷却水供給管、７…多板タイプ熱交換器部、８…触媒、９…配管接続口、10…排気管、11…取付板、12…配管接続口、13…上部端板、14…開口、15…排ガス小室、16…水小室、20…熱交換器素子、30…環状板、31…環状基板、32…内周縁部、33…外周縁部、34…ガス入口部、34a …ガス入口開口、35…ガス出口部、35a …ガス出口開口、36…ディンプル、37…水入口開口、37a …鍔部、38…水出口開口、38a …鍔部、40…環状板、41…環状基板、42…内周縁部、43…外周縁部、44…ガス入口開口、44a …鍔部、45…ガス出口開口、45a …鍔部、46…ディンプル、47…水入口部、47a …水入口開口、48…水出口部、48a …水出口開口、49…内周溝、50…外周溝、51…かしめ部、52…かしめ部、60…下部端板、61…ガス入口開口、62…ガス出口開口、63…水入口開口、70…ガス流入凹部、71…ガス出口開口、72…水入口開口、73…凹部、73a …天井壁面、73b …内部壁面、73c …側壁面、74…ガス出口開口、Ｃ…触媒収容室、Ｄ…排ガス室、Ｅ…冷却水室、Ｆ…冷却水室、Ｇ…排ガス室、Ｈ…環状段部空間。
【図１】
0004372293.tif 000002
【図２】
0004372293.tif 000003
【図３】
0004372293.tif 000004
【図４】
0004372293.tif 000005
【図５】
0004372293.tif 000006
【図６】
0004372293.tif 000007
【図７】
0004372293.tif 000008
【図８】
0004372293.tif 000009
【図９】
0004372293.tif 000010
【図１０】
0004372293.tif 000011
【図１１】
0004372293.tif 000012
【図１２】
0004372293.tif 000013
【図１３】
0004372293.tif 000014
【図１４】
0004372293.tif 000015
【図１５】
0004372293.tif 000016
【図１６】
0004372293.tif 000017
【図１７】
0004372293.tif 000018
【図１８】
0004372293.tif 000019
【図１９】
0004372293.tif 000020
【図２０】
0004372293.tif 000021
【図２１】
0004372293.tif 000022
【図２２】
0004372293.tif 000023
【図２３】
0004372293.tif 000024
【図２４】
0004372293.tif 000025